(57)【特許請求の範囲】
【請求項１】
玄米を精白する精米装置（１５）と、玄米を投入する玄米投入ホッパ（１３）と、玄米投入ホッパ（１３）から精米装置（１５）に玄米を搬送する玄米搬送装置（１４）と、精米装置（１５）から糠を抜いて糠箱（５７）に収納する糠抜き装置（１６）とを、箱形のケース（１２）内に収納すると共に、精米装置（１５）の下方側に糠箱（５７）を配置してなる自動精米機において、
ケース（１２）の前面を開閉自在な前面扉（１０）とし、この前面扉（１０）の下部に該前面扉（１０）に設けられた開口部（１８）を開閉する開閉扉（１９）を設け、この開閉扉（１９）の内側に、精米装置（１５）の前下方に位置して精白米を収容する精白米取出部（２２）を設け、前記前面扉（１０）に、糠箱（５７）の前方側に位置していて精米装置（１５）から排出される精白米を前記精白米取出部（２２）に案内する案内手段（５３，５５）を設けたことを特徴とする自動精米機。
【請求項２】
前記開閉扉（１９）の内側に、玄米を投入するための玄米投入部（２１）を設けると共に、この玄米投入部（２１）から投入された玄米を前記玄米投入ホッパ（１３）に案内するガイド部材（２５）を前面扉（１０）に設けたことを特徴とする請求項１記載の自動精米機。
【請求項３】
精米装置（１５）を下部を支点として前方に傾倒可能に取り付けたことを特徴とする請求項１又は２記載の自動精米機。
【請求項４】
下部に位置する玄米投入ホッパ（１３）から、その上方の精米装置（１５）に玄米を搬送するに際し、精米しながら玄米を徐々に搬送するようにしたことを特徴とする請求項１、２又は３記載の自動精米機。
【発明の詳細な説明】
【０００１】
【発明の属する技術分野】
本発明は、玄米投入ホッパ、玄米搬送装置、精米装置、糠抜き装置等を箱形のケース内に収納してなる自動精米機に関するものである。
【０００２】
【従来の技術】
従来の自動精米機としては、精米所と呼ばれる建物内に設置されるものが一般的であるが、このものにあっては設置場所の制約が大きいことから、路傍に設置できるものとして、市販の清涼飲料水等の自動販売機と同じような大きさの箱形のケース内に、玄米投入ホッパ、玄米搬送装置、精米装置、糠抜き装置を収納すると共に、ケース前面に、玄米の投入口と、精白米の取出口と、コイン投入口、と操作ボタン等とを設けた、自動精米機が考えられている。（実開昭６３−１５９４７５号公報参照）
【０００３】
【発明が解決しようとする課題】
前記従来の精米機にあっては、精米装置の下方側に、糠を収容する糠箱を設けてあるが、精米装置の下方には取出ホッパが配置されていると共に、取出ホッパの下方に、精白米を収容する容器を配置する場所である精白米取出部が設けられていることから、糠箱配置空間が狭く、したがって糠箱を大きく形成できないものであり、また、糠箱配置空間を大きく採れば、精米機の高さが高くなるか、奥行き又は幅が大きくなると共に、糠箱の上方空間がデッドスペースになる可能性が大である。
【０００４】
また、精米装置をケース内に組み込み又はケース内で分解するのに、精米装置の上方空間がある程度必要とされ、これによっても、糠箱配置空間を狭くするという問題が生じる。
また、玄米投入ホッパに投入された玄米を、一度に全部、精米装置の上方に運び上げるので、精米装置の上方に大きな空間が必要とされ、その分、精米装置の下方空間を狭くし、これによっても、糠箱配置空間を狭くするものである。
【０００５】
そこで、本発明は、前記問題点に鑑みて、玄米搬送装置、精米装置、糠抜き装置を箱形のケース内にコンパクトに組み込みながらも、糠箱配置空間を大きく採ることができ、糠の収納容量アップを図った精米機を提供することを目的とする。
【０００６】
【課題を解決するための手段】
本発明が前記目的を達成するために講じた技術的手段は、請求項１では、玄米を精白する精米装置１５と、玄米を投入する玄米投入ホッパ１３と、玄米投入ホッパ１３から精米装置１５に玄米を搬送する玄米搬送装置１４と、精米装置１５から糠を抜いて糠箱５７に収納する糠抜き装置１６とを、箱形のケース１２内に収納すると共に、精米装置１５の下方側に糠箱５７を配置してなる自動精米機において、ケース１２の前面を開閉自在な前面扉１０とし、この前面扉１０の下部に該前面扉１０に設けられた開口部１８を開閉する開閉扉１９を設け、この開閉扉１９の内側に、精米装置１５の前下方に位置して精白米を収容する精白米取出部２２を設け、前記前面扉１０に、糠箱５７の前方側に位置していて精米装置１５から排出される精白米を前記精白米取出部２２に案内する案内手段５３，５５を設けたことを特徴とする。
【０００７】
また、請求項２では、前記構成に加えて、前記開閉扉１９の内側に、玄米を投入するための玄米投入部２１を設けると共に、この玄米投入部２１から投入された玄米を前記玄米投入ホッパ１３に案内するガイド部材２５を前面扉１０に設けたことを特徴とする。また、請求項３では、前記構成に加えて、精米装置１５を下部を支点として前方に傾倒可能に取り付けたことを特徴とする。
【０００８】
また、請求項４では、前記構成に加えて、下部に位置する玄米投入ホッパ１３から、その上方の精米装置１５に玄米を搬送するに際し、精米しながら玄米を徐々に搬送するようにしたことを特徴とする。
【０００９】
【発明の実施の形態】
以下、本発明の実施の形態を図面に基づいて説明する。
図１は、袋入りの玄米の自動販売機１と、玄米を精白する自動精米機２とを左右に併置した米の自動販売システムＳを示す。図例では、右側に玄米の自動販売機１を配置し、左側に精米機２を配置したものを示すが、左右逆に配置してもよく、また、精米機２の左右両側に玄米の自動販売機１を配置してもよく、さらに、玄米の自動販売機１を２機以上左右方向に配置してもよい。
【００１０】
なお、玄米の自動販売機１及び自動精米機２の高さ及び奥行き（前後幅）は、市販の清涼飲料水等の自動販売機と略同程度の寸法（例えば、高さ１８３０ｍｍ、奥行き７３０ｍｍ）に形成される。
前記玄米の自動販売機１は、例えば、３Ｋｇの玄米を袋詰めにしたものと、５Ｋｇの玄米を袋詰めにしたものとを箱形のケース３内に多数収納し、該ケース３の前面に設けたコイン投入口４からコインを投入し、選択ボタン５を押すことによって、所望の袋入り玄米が取出口６から取り出し得るように構成されたものである。
【００１１】
なお、前記玄米の自動販売機１は、一例を示したものであり、玄米の自動販売機１としては、１種類の重さの袋入り玄米又は重さの異なる３種類以上の袋入り玄米を収納するものであっても、玄米の種類のことなるものを１種類又は２種類以上収納するものであってもよく、要は、袋入りの玄米を収納・貯蔵できると共に排出できるようにしたものであればよい。また、袋入り玄米を購入するのに、紙幣又はプリペイドカード等によって購入できるようにしてもよい。
【００１２】
精米機２は、図１〜図５に示すように、上面パネル７、下面パネル８、左右一対の側面パネル９、前面扉１０及び背面パネル１１とから箱形に形成されたケース１２を備え、このケース１２内に、玄米投入ホッパ１３と、玄米搬送装置１４と、精米装置１５と、糠抜き装置１６等を収納して構成されている。
前記ケース１２の前面扉１０は右端側が上面パネル７等に支軸１７等を介して上下方向の軸心廻りに回動自在に枢着されており、この前面扉１０によってケース１２の前面全域が開放可能とされている。
【００１３】
なお、前面扉１０は左端側を枢着するようにしてもよいが、図例のように精米機２の右側に玄米の自動販売機１を配置したものにあっては、前面扉１０の右端側（すなわち、玄米の自動販売機１の在る側）を枢着することによって、精米機２の左側面を壁際ぎりぎりまで寄せて配置しても前面扉１０の開き角度を大きく採れるという利点がある。
【００１４】
前面扉１０の下部には、開口部１８が形成され、この開口部１８は、下端側が開口部１８の縁部に支軸２０を介して左右方向の軸心廻りに回動自在に枢着された開閉扉１９によって開閉自在に閉塞されている。この開閉扉１９の内側の、左側（左右一側）には玄米投入部２１が、右側（左右他側）には精白米取出部２２がそれぞれ設けられている。
【００１５】
玄米投入部２１は、図９にも示すように、左右側板２３と、下方に向かうに従って後方に移行するように傾斜状とされたガイド板２４とから上下及び後方に開放状とされたシュートで構成されている。また、この玄米投入部２１の後方、すなわち、ケース１２内の左側の前側下部には、前記玄米投入ホッパ１３が配置され、これら玄米投入部２１と玄米投入ホッパ１３との間には、ガイド部材２５が設けられている。
【００１６】
このガイド部材２５は前面扉１０に取り付けられ、玄米投入部２１の左右両側に位置する左右側板２６と、玄米投入部２１のガイド板２４の下方側に位置していて下方に向かうに従って後方に移行するように傾斜状とされたガイド板２７とから構成されている。
なお、玄米投入ホッパ１３の上部前面側は上端から下方に切り欠かれており、該切欠部分からガイド部材２４の後下部及び玄米投入部２１の下部が玄米投入ホッパ１３内に挿入状とされている。
【００１７】
前記玄米投入部２１の構成にあっては、開閉扉１９を開けたときに玄米投入部２１の上面側が玄米投入口２８とされ、玄米が玄米投入部２１からガイド部材２４を経て玄米投入ホッパ１３へと投入できるようになっている。
前記玄米投入ホッパ１３の下部には、玄米の有無を検出するレベルスイッチからなる第１の玄米検出センサ２９が設けられている。
【００１８】
前記精白米取出部２２は、前後左右及び下面が閉塞されて上方開口状とされた箱形に形成され、開閉扉１９の内面に取付固定されている。この精白米取出部２２には、内部に精白米収納用の袋を装着したことを検出する袋検出センサ３０が設けられている。また、前面扉１０には、開閉の有無を検出する扉センサ３１が設けられている。
【００１９】
また、開閉扉１９の右側に透明窓３２が設けられていると共に、精白米取出部２２の、透明窓３２に対応する部分が切り欠かれていて、精白米取出部２２内を外部から視認できるようになっている。
さらに、開閉扉１９と開口部１８の縁部とに亘って、開閉扉１９を開かないようにロックするロック装置３３が設けられている。
【００２０】
前記玄米投入ホッパ１３の後方（ケース１２内の左側前後方向中途部）には、玄米搬送装置１４が上下方向に配置されている。この玄米搬送装置１４は、ケーシング内に多数のバケットを取り付けたチェーンを上下のスプロケットに掛装してなるバケットエレベータ（又はスクリュコンベア、スローワ、玄米を気流に浮遊させて運搬するニューマチックコンベア等、玄米を搬送できるものであればよい）から構成され、下端側の左側面に供給口３４が形成され、上端側の右側面に排出口３５が設けられている。供給口３４は、シュート３６を介して玄米投入ホッパ１３の下面側の排出口１３ａに接続されている。
【００２１】
前記玄米搬送装置１４の排出口３５の前面下部には玄米を検出するレベルスイッチからなる第２の玄米検出センサ３７が設けられ、玄米搬送装置１４の下端側後面には下部のスプロケットを駆動するモータ３８が設けられている。
前記精米装置１５はケース４内の右側上部に配置されており、玄米を精白する搗精部３９と、玄米搬送装置１４の排出口３５の下方に配置されていて玄米搬送装置１４から送られてくる玄米を一時溜めるホッパ４０と、ホッパ４０から搗精部３９へと玄米を送る横送り部４２及び縦送り部４３と、精白米を排出する排出部４４と、前記搗精部３９、ホッパ４０、横送り部４２及び縦送り部４３、排出部４４を取付支持する取付部４５と、この取付部４５の後方に配置されていて搗精部３９内の搗精ロールを駆動するモータ４６等から構成されている。
【００２２】
ホッパ４０には、ホッパ４０内の玄米を検出するレベルスイッチからなる第３の玄米検出センサ４１が設けられていると共に、ホッパ４０の前面下部には、内部を視認可能な透明窓４０Ａが設けられている。
取付部４５及びモータ３８の下部側には、玄米搬送装置１４及びケース１２に取付固定された支持板４８が配置され、この支持板４８に取付部４５及びモータ３８が取り付けられている。モータ４６と搗精ロールとは支持板４８の下方に配置されたベルト巻掛伝動機構からなる伝動機構４７によって連動連結されている。
【００２３】
ここで、取付部４５の取付構造を説明すると、図７に示すように、取付部４５の後面には、板材からなる取付部材４９がボルト等によって固定され、この取付部材４９の下部には左右一対のブラケット５０が固定され、このブラケット５０は支持板４８の下面に支軸５１を介して左右方向の軸心廻りに回動自在に支持されている。
【００２４】
一方、取付部４５の後方には、板材からなる支持部材５２が支持板４８上に立設固定され、この支持部材５２に前記取付部材４９がボルト等によって着脱自在に取付固定される。
したがって、支持部材５２に対する取付部材４９の固定を解除すると、取付部４５が支軸５１の軸心廻りに前方に回動すると共に、図示省略のストッパによって所定角度傾斜した状態で支軸５１廻りの回動が規制され、図７に実線で示すように、搗精部３９、ホッパ４０、横送り部４２及び縦送り部４３、排出部４４が前傾姿勢とされる。
【００２５】
前記搗精部３９、ホッパ４０、横送り部４２及び縦送り部４３、排出部４４及び取付部４５を組み付ける（又は分解する）場合、下部側から順次組み付ける（分解する場合は上部側から順次分解する）ように構成されており、前述したように搗精部３９等を傾斜姿勢とすることで、ケース１２内の精米装置１５の上方空間を大きく採らなくても組み付け・分解が容易に行えるように考慮されている。
【００２６】
これによって、精米装置１５をケース１２内にコンパクトに組み込めると共に、コンパクトに組み込んでも、精米装置１５下方の糠箱配置空間を大きく採ることができるという効果を奏する。
前記精米装置１５の排出部４４の下方には、排出された精白米を、精米装置１５の前下方に位置する精白米取出部２２上方に案内するシュート５３が配置され、該シュート５３は前面扉１０に取付部材を介して取付固定されている。また、支持板４８の前部側には、精米装置１５の排出部４４から排出された精白米をシュート５３へと案内するガイド部材５４が着脱自在に取り付けられている。
【００２７】
さらに、シュート５３の出口下方側には、精白米取出部２２内にセットされた精白米収納袋内に精白米を案内する漏斗部材５５が設けられている。この漏斗部材５５は精白米取出部２２の上端側に若干挿入状とされ、開閉扉１９を開くときに邪魔にならないように、左右軸廻りに上方に回動して退避すると共に、開閉扉１９を閉じたときには、元の状態に復帰するように前面扉１０に取付部材を介して取り付けられている。
【００２８】
前記シュート５３及び漏斗部材５５で案内手段を構成している。
前記糠抜き装置１６は、糠を収容する糠箱５７と、搗精部３９から糠を吸引すると共に該糠を糠箱５７へと圧送するブロワ５８とから主構成されている。糠箱５７は精米装置１５の下方に配置され、ブロワ５８は、糠箱５７の上部左側方（玄米搬送装置１４の後方）に配置された糠ファン５９と、この糠ファン５９の下方に配置されていて該ファンを駆動するモータ６０とから構成され、糠ファン５９の吸引側と搗精部３９とが吸引ダクト６１によって接続され、糠ファン５９の吐出側は糠箱５７上部左側の糠取入れ口６３に接続されている。
【００２９】
前記糠箱５７は、図８にも示すように、左右一対のレール体６４によって前後移動自在に支持されている。このレール体６４は、前後方向に配置されてケース１２の下面パネル８上に固定された固定レール６５と、この固定レール６５にローラ６７等を介して前後方向移動自在に支持された可動レール６６とから構成され、前記可動レール６６に糠箱５７がローラ６８等を介して前後方向移動自在に支持されている。
【００３０】
そして、ケース１２の前面扉１０を開くと、精白米取出部２２、シュート５３及び漏斗部材５５等が前面扉１０と共に移動し、糠箱５７の前方が開放状とされ、この状態で、糠ファン５９の糠箱５７に対する接続を解除し、糠箱５７を前方に引き出すと、可動レール６６が固定レール６５に対して前方移動すると共に、可動レール６６に対して糠箱５７が前方移動し、該糠箱５７がケース１２前面から外部に引き出される。
【００３１】
なお、糠箱５７内には、糠を収納する糠袋がセットされ、この糠袋は糠箱上部の蓋体を取り外すことによって上方に取り出されるようになっており、前述したように糠箱５７をケース１２前面から外部に引き出すことによって、容易に糠袋を取出し・セットできるようになっている。
前記精米装置１５の右側方には制御装置６９が配置され、また、前面扉１０の前面側上部には、精米装置１５のホッパ４０の透明窓４０ａを視認可能な透明窓７０と、精米機２の運転工程を表示灯Ｒ１〜１０によって表示する表示部７１と、精白米のツキ加減を設定する白度設定部７２とが設けられている。前記白度設定部７２は例えば、５分ヅキ、７分ヅキ、白米のいずれかを選択ボタン７３によって選択できるようになっている。
【００３２】
また、図９に示すように、玄米投入部２１には、玄米収納袋７４の開封装置７５が設けられている。この開封装置７５は、下部が玄米投入部２１の側板２３（又はガイド部材２５側等）に左右軸廻りに回動自在に枢支されて前後揺動自在とされたレバー７６と、該レバー７６に長手方向移動自在に設けられたカッター７７とから主構成されている。
【００３３】
この開封装置７５では、開閉扉１９を開けた状態でガイド板２４上に玄米収納袋７４を載置し、この状態でレバー７６を手前に倒して該レバー７６とガイド板２４とで玄米収納袋７４を挟み込み、さらに、レバー７６を玄米収納袋７４に押し付けると、カッター７７の刃先が玄米収納袋７４に突き刺さるようになっている。そして、この状態でカッター７７を下方にスライドさせると玄米収納袋７４が開封される。
【００３４】
なお、レバー７６は玄米収納袋７４よりも薄い厚さのものは挟み込めないようにすると共に、その状態ではカッター７７の刃が突出しないように構成するのが好ましい。
前記開封装置７５の開封手段はカッター７７の他なんでもよく、例えば、図１０に示すように、カッター７７の変わりにレバー７６に電熱線７８を設け、この電熱線の熱によって玄米収納袋７４を開封するようにしてもよい。
【００３５】
前記玄米収納袋７４には、糠分が付着しているので、空の玄米収納袋７４を精白米の収納には使えない。そこで、図１１及び図１２に例示するように、前記玄米の自動販売機１に収納される玄米収納袋７４には、精白米を収納するための精白米収納袋７９が付設されている。
図１１に示すものは、玄米収納袋７４にポケット状の収容部８０を設け、この収納部８０に精白米収納袋７９が入れてあるものが示されている。また、図１２に示すものは、玄米収納袋７４の外側に精白米収納袋７９を巻付け、ゴム輪等の固定手段８１によって精白米収納袋７９を玄米収納袋７４に固定しているものを示している。
【００３６】
なお、玄米収納袋７４に精白米収納袋７９を付設する手段としては、精白米収納袋７９を玄米収納袋７４に着脱自在に接着すること等が考えられる。
このように、玄米収納袋７４に精白米収納袋７９を付設することによって、玄米を購入した人に確実に精白米収納袋７９を提供でき、余分な精白米収納袋７９を容易することもないという利点を有する。
【００３７】
前記構成の米の自動販売システムにおいて、玄米を購入する前にあっては、精米機２の表示部７１の１番上の表示灯Ｒ１が点灯状態である。そして、玄米の自動販売機１によって玄米を購入すると、その信号Ａが玄米の自動販売機１の制御装置から出力されて精米機２の制御装置６９に入力される。これによって、ロック装置３３のロックが解除されて開閉扉１９が開放可能とされると共に、表示部７１の１番上の表示灯Ｒ１が消灯して２番目の表示灯Ｒ２が点灯して、精米機２が運転可能状態となる。
【００３８】
次に、開閉扉１９を開くと、２番目の表示灯Ｒ２が消灯して３番目の表示灯Ｒ３が点灯し、玄米投入部２１から玄米投入ホッパ１３へと玄米を投入すると、第１の玄米検出センサ２９が玄米を検出すると、３番目の表示灯Ｒ３が消灯して４番目の表示灯Ｒ４が点灯し、精白米取出部２２に精白米収納袋をセットすると袋検出センサ３０が精白米収納袋を検出し、４番目の表示灯Ｒ４が消灯して５番目の表示灯Ｒ５が点灯する。
【００３９】
このとき、玄米を投入する前に精白米取出部２２に精白米収納袋をセットしておいてもよい。
次に、開閉扉１９を閉めると、扉センサ３１がそれを検出し、５番目の表示灯Ｒ５が消灯して６番目の表示灯Ｒ６が点灯し、第１の玄米検出センサ２９と袋検出センサ３０と扉センサ３１が、それぞれ玄米、精白米収納袋、開閉扉１９が閉まっていること、を検出した状態で、ロック装置３３が作動して開閉扉１９がロックされる。
【００４０】
そして、選択ボタン７３のいずれかを押して、白度を選択すると、６番目の表示灯Ｒ６が消灯して７番目の表示灯Ｒ７が点灯し、玄米搬送装置１４が作動して玄米が上方に運び上げられて、排出口３５から精米装置１５のホッパ４０に投入され、第３の玄米検出センサ４１によって玄米が検出されると、８番目の表示灯Ｒ８が点灯し、精米装置１５が作動して、ホッパ４０から横送り部４２、縦送り部４３を経て玄米が搗精部３９に至り、ここで玄米が精白され、精白米は排出部４４、ガイド部材５４、シュート及び漏斗部材５５を経て精白米取出部２２内の精白米収納袋内に投入され、一方、糠は糠箱５７に収容される。
【００４１】
精米中において、第２の玄米検出センサ３７によって、ホッパ４０内の玄米が所定量（満杯又は満杯近く）になったことを検出すると、一旦、玄米搬送装置１４が停止し、第３の検出センサ４１によって、ホッパ４０内の玄米がなくなってきたことを検出すると、玄米搬送装置１４が再び作動してホッパ４０内に玄米が投入されるように構成されており、玄米投入ホッパ１３内に投入された玄米が一度に運び上げられるのではなく、徐々に運び上げられるようになっている。
【００４２】
これによって、ホッパ４０の容量を小さくでき、ケース１２内の精米装置１５上部の空間を大きく採らなくてもよく、精米装置１５をできるだけケース１２内の上方に配置して、糠箱配置空間を大きく、すなわち糠箱５７を大きくすることができ、精米装置１５をケース１２内にコンパクトに組み込みながら、糠の容量アップが図られている。
【００４３】
こうして、精米が進み、第１の玄米検出センサ２９によって玄米投入ホッパ１３内に玄米がなくなったことを検出し、且つ、第２の玄米検出センサ４１によって排出部３５にも玄米がないことを検出したときに、７番目の表示灯Ｒ７が消灯して、玄米搬送装置１４が停止して搬送が終了し、これ以後、第３の玄米検出センサ４１によって、ホッパ４０内に玄米がなくなってきたことを検出しても玄米搬送装置１４は動かないようになっている。
【００４４】
そして、第３の玄米検出センサ４１によって、ホッパ４０内に玄米がなくなったことが検出されると、８番目の表示灯Ｒ８が消灯して９番目の表示灯Ｒ９が点灯し、所定時間経過後（横送り部４２、縦送り部４３及び搗精部３９内の玄米を精白するのに必要充分な時間経過後）に、９番目の表示灯Ｒ９が消灯して１０番目の表示灯Ｒ１０が点灯し、精米装置１５及び糠抜き装置１６が停止すると共に、ロック装置３３による開閉扉１９のロックが解除される。
【００４５】
そして、開閉扉１９を開けて、精白米取出部２２から上方に精白米収納袋を取り出して、開閉扉１９を閉め、所定時間経過後に再びロック装置３３が働いて、開閉扉１９がロックされ、精米機２が使用できない状態となり、１０番目の表示灯Ｒ１０が消灯して１番目の表示灯Ｒ１が点灯する。
前記米の自動販売システムにおいて、玄米を連続的に購入又は精米機２使用中に購入する場合があるが、この場合、本実施の形態では、玄米の自動販売機１からの信号Ａの回数を精米機２の制御装置６９でカウントして記憶させておき、該回数分、精米機２を連続運転できるように構成されている。
【００４６】
また、玄米の自動販売機１と精米機２とを併置した米の自動販売システムＳにあっては、精米機２の玄米搬送装置１４、精米装置１５、糠抜き装置１６が故障すると、玄米は購入できるのに精米ができないというトラブルが考えられるが、本実施の形態にあっては、精米機２側の各装置が故障すると、その信号Ｂが玄米の自動販売機１の制御装置に入力され、玄米の自動販売機１の前面の操作部に売り切れ表示が表示されるようになっている。なお、この場合、売り切れ表示と共に、コイン等を投入できないようにしたり、玄米の購入選択ボタンを押しても作動しないようにしてもよく、精米機２の故障時に、玄米の販売が制限されるようになっていればよい。
【００４７】
前記米の自動販売システムＳは種種設計変更が可能であり、例えば、玄米の自動販売機１に精米機選択ボタンを設け、コイン等を投入して前記精米機選択ボタンを押さない場合には前述した玄米購入・精米と同様の動作をし、この精米機選択ボタンを押したときは、精米機２のみ作動できるようにしてもよい。
前記実施の形態にあっては、本発明に係る精米機２を、玄米の自動販売機１と精米機２とを併置した米の自動販売システムＳに採用したものを例示したが、自動精米機２を単独で使用してもよい。この場合、精米機２には、金銭取扱手段（コイン、紙幣、プリペイドカード等の投入口及び制御機構等）を設ける必要がある。また、精米機２のケース１２の内部に、玄米を貯蔵するタンク及びこのタンク内の玄米を購入量に応じて計量する計量手段等を設けてもよい。
【００４８】
【発明の効果】
本発明によれば、玄米を精白する精米装置１５と、玄米を投入する玄米投入ホッパ１３と、玄米投入ホッパ１３から精米装置１５に玄米を搬送する玄米搬送装置１４と、精米装置１５から糠を抜いて糠箱５７に収納する糠抜き装置１６とを、箱形のケース１２内に収納すると共に、精米装置１５の下方側に糠箱５７を配置してなる自動精米機において、ケース１２の前面側下部に開閉扉１９を設け、この開閉扉１９の内側に、精米装置１５の前下方に位置して精白米を収容する精白米取出部２２を設けたので、ケース１２内に、精米装置１５、玄米投入ホッパ１３、玄米搬送装置１４、糠抜き装置１６をコンパクトに組み込みながらも、精米装置１５下方の糠箱配置空間を広く採ることができ、糠の収納容量アップを図ることができる。
【００４９】
また、ケース１２前面を開閉自在な前面扉１０とし、この前面扉１０に開閉扉１９を設けると共に、糠箱５７の前方側に位置して精米装置１５から排出される精白米を精白米取出部２２に案内する案内手段５３，５５を前記前面扉１０に設けたことによって、前面扉１０を開けると、該前面扉１０と共に精白米取出部２２、案内手段５３，５５が糠箱５７の前方から移動して、糠箱５７の前方が開放状となり、糠箱５７を前方に取り出すことができ、糠箱５７を大きく形成したものであっても、糠の取り出し等が容易に行える。
【００５０】
また、精米装置１５を下部を支点として前方に傾倒可能に取り付けたことによって、精米装置１５の組み付け・分解が容易に行えると共に、精米装置１５の上方空間を大きく採る必要がなく、その分、精米装置１５の下方の糠箱配置空間を大きく採ることができる。
また、下部に位置する玄米投入ホッパ１３から、その上方の精米装置１５に玄米を搬送するに際し、精米しながら玄米を徐々に搬送するようにしたことにより、玄米投入ホッパ１３に投入した玄米を、一度に全部、精米装置１５の上方に搬送するものに対し、精米装置１５の上方空間を狭くでき、その分、精米装置１５の下方の糠箱配置空間を大きく採ることができる。
【図面の簡単な説明】
【図１】米の自動販売システムの正面図である。
【図２】精米機の正面内部構成図である。
【図３】精米機の左側面内部構成図である。
【図４】精米機の右側面内部構成図である。
【図５】精米機の平面内部構成図である。
【図６】精米機の操作・表示部の正面図である。
【図７】精米装置の右側面図である。
【図８】糠箱等の右側面図図である。
【図９】玄米投入部の左側面断面図である。
【図１０】玄米投入部の他の例を示す左側面断面図である。
【図１１】玄米収納袋の斜視図である。
【図１２】玄米収納袋の他の例を示す斜視図である。
【符号の説明】
１０      前面扉
１２      ケース
１３      玄米投入ホッパ
１４      玄米搬送装置
１５      精米装置
１９      開閉扉
２２      精白米取出部
５７      糠箱
【図１】
0003779795.tif 000002
【図２】
0003779795.tif 000003
【図３】
0003779795.tif 000004
【図４】
0003779795.tif 000005
【図５】
0003779795.tif 000006
【図６】
0003779795.tif 000007
【図７】
0003779795.tif 000008
【図８】
0003779795.tif 000009
【図９】
0003779795.tif 000010
【図１０】
0003779795.tif 000011
【図１１】
0003779795.tif 000012
【図１２】
0003779795.tif 000013